(57)【要約】【課題】  乾式水道メータにおいて、下部ケースに対する積算流量表示ユニットの取付構造を簡単にすることである。【解決手段】  乾式水道メータにおいて、下部ケースＢに対して受圧板Ｐ1 を固定する受圧板固定リングＲ1 には、弾性変形可能な複数の係止爪部２３が形成され、前記積算流量表示ユニットＵの外ケースＫ1 には、当該係止爪部２３が係止される被係止部３３が形成されて、前記下部ケースＢに固定された受圧板固定リングＲ1 に対して前記積算流量表示ユニットＵを押し付けることにより、前記複数の係止爪部２３が前記被係止部３３に係止されて、当該受圧板固定リングＲ1 に対して前記積算流量表示ユニットＵが一体に取付けられる構成とする。【選択図】  図５
2014055828.tif 000002
【特許請求の範囲】
【請求項１】
下部ケースの上方突出環状部の内側にシール部材を介して水密を保持して嵌入される受圧板と、前記上方突出環状部の内周に螺合されて、当該受圧板を当該下部ケースに対して固定するための受圧板固定リングと、前記下部ケースに収容された羽根車の回転を磁石継手を介して伝達して、積算流量を表示する積算流量表示ユニットを備えた乾式水道メータにおいて、
前記積算流量表示ユニットの外ケース又は前記受圧板固定リングのいずれか一方には、弾性変形可能な複数の係止爪部が形成され、その他方には、当該係止爪部が係止される被係止部が形成されて、
前記下部ケースに固定された受圧板固定リングに対して前記積算流量表示ユニットを押し付けることにより、前記複数の係止爪部が前記被係止部に係止されて、当該受圧板固定リングに対して前記積算流量表示ユニットが一体に取付けられる構成であることを特徴とする乾式水道メータ。
【請求項２】
下部ケースの上方突出環状部の内側にシール部材を介して水密を保持して嵌入される受圧板と、前記上方突出環状部の内周に螺合されて、当該受圧板を当該下部ケースに対して固定するための受圧板固定リングと、前記下部ケースに収容された羽根車の回転を磁石継手を介して伝達して、積算流量を表示する積算流量表示ユニットを備えた乾式水道メータにおいて、
前記積算流量表示ユニットの外ケース又は前記受圧板のいずれか一方には、弾性変形可能な複数の係止爪部が形成され、その他方には、当該係止爪部が係止される被係止部が形成されて、
前記下部ケースに固定された受圧板に対して前記積算流量表示ユニットを押し付けることにより、前記複数の係止爪部が前記被係止部に係止されて、当該受圧板に対して前記積算流量表示ユニットが一体に取付けられる構成であることを特徴とする乾式水道メータ。
【請求項３】
下部ケースの上方突出環状部の内側にシール部材を介して水密を保持して嵌入される受圧板と、前記上方突出環状部の内周に螺合されて、当該受圧板を当該下部ケースに対して固定するための受圧板固定リングと、前記下部ケースに収容された羽根車の回転を磁石継手を介して伝達して、積算流量を表示する積算流量表示ユニットと、カバー本体に当該積算流量表示ユニットの表示部を覆う蓋体が開閉可能に取付けられて、当該積算流量表示ユニットの全体を覆う変則短筒状の全体カバーとを備えた乾式水道メータにおいて、
前記積算流量表示ユニットの外ケースの外面、及び前記全体カバーのカバー本体の内側の一方には、係止部が半径方向に突設されると共に、その他方には、前記係止部に係止される被係止部が形成され、
前記積算流量表示ユニットの外ケースの外側に前記全体カバーを覆い被せた状態で当該全体カバーを押し付けることにより、前記係止部及び前記被係止部の少なくとも一方が弾性変形されて、互いに係止されることにより、前記外ケースに対して前記全体カバーが取付けられる構成であることを特徴とする乾式水道メータ。
【請求項４】
前記外ケースの外側に設けられた被係止部の外周面は、上面側よりも下面側の直径が大きくなるようなテーパー面に形成されていると共に、前記カバー本体の内側の係止部の内端面は、前記被係止部の外周面のテーパー面に対応するテーパー面に形成されていることを特徴とする請求項３に記載の乾式水道メータ。
【請求項５】
前記積算流量表示ユニットの外ケースの被係止部、及び前記全体カバーのカバー本体の内周面の一方には、前記積算流量表示ユニットに対する前記全体カバーの周方向の位置決めを行うための位置決め凹部が設けられると共に、その他方には、前記位置決め凹部に嵌合される位置決め凸部が設けられていることを特徴とする請求項３又は４に記載の乾式水道メータ。
【発明の詳細な説明】
【技術分野】
【０００１】
本発明は、羽根車が収容された下部ケースの計量室と、当該下部ケースの上方に配置される積算流量表示ユニットの収容部とが受圧板で隔離された構成の乾式水道メータに関するものである。
【背景技術】
【０００２】
乾式水道メータは、下部ケースの上方突出環状部の周壁部の内側にシール部材を介して水密を保持して嵌入される受圧板と、前記上方突出環状部の周壁部の内周に螺合されて、当該受圧板を当該下部ケースに対して固定するための受圧板固定リングと、前記下部ケースに収容された羽根車の回転を磁石継手を介して伝達して、積算流量を表示する積算流量表示ユニットを備え、前記下部ケースの計量室と、前記積算流量表示ユニットの収容部とが受圧板によって分離されて、積算流量表示ユニットの表示部に下部ケース内を流れる水道水が浸入しない構成である。
【０００３】
上記構成の水道メータの一つとして、特許文献１に記載のものが知られていて、下部ケース（下ケース１）の上方突出環状部の上方に配置される積算流量表示ユニット（積算流量表示部７５）を構成するケース７６は、当該外ケースの全体を覆うように配置されたキャップ８４を介して固定カバー８６により、下部ケース（下ケース１）に対して固定され、更に、当該固定カバー８６が下部ケース（下ケース１）の上部周壁８から外れるのを防止すべく、固定カバー８６の外側にカバー固定リング１０８が配置されている。
【０００４】
このため、特許文献１の水道メータでは、積算流量表示ユニット（積算流量表示部７５）のケース７６を下部ケース（下ケース１）に対して固定するのに、固定カバー８６及びカバー固定リング１０８の二つの部材を必要とするため、全体としての部品点数が増加して、下部ケース（下ケース１）に対する積算流量表示ユニット（積算流量表示部７５）のケース７６の固定構造が複雑となるのみならず、下部ケース（下ケース１）の上部周壁８の部分の外径も大きくなって、全体として「厚ぼったい」感じとなり、「スッキリ感」のない設計となる。
【先行技術文献】
【特許文献】
【０００５】
【特許文献１】特開２０００−１７１２７２号公報
【発明の概要】
【発明が解決しようとする課題】
【０００６】
本発明は、乾式水道メータにおいて、下部ケースに対する積算流量表示ユニット、及び当該積算流量表示ユニットに対する全体カバーの各取付構造を簡単にすることを課題としている。
【課題を解決するための手段】
【０００７】
上記課題を解決するための請求項１の発明は、下部ケースの上方突出環状部の内側にシール部材を介して水密を保持して嵌入される受圧板と、前記上方突出環状部の内周に螺合されて、当該受圧板を当該下部ケースに対して固定するための受圧板固定リングと、前記下部ケースに収容された羽根車の回転を磁石継手を介して伝達して、積算流量を表示する積算流量表示ユニットを備えた乾式水道メータにおいて、前記積算流量表示ユニットの外ケース又は前記受圧板固定リングのいずれか一方には、弾性変形可能な複数の係止爪部が形成され、その他方には、当該係止爪部が係止される被係止部が形成されて、前記下部ケースに固定された受圧板固定リングに対して前記積算流量表示ユニットを押し付けることにより、前記複数の係止爪部が前記被係止部に係止されて、当該受圧板固定リングに対して前記積算流量表示ユニットが一体に取付けられる構成であることを特徴としている。
【０００８】
請求項１の発明によれば、下部ケースの上方突出環状部の内側に受圧板が水密を保持して嵌入されて、当該受圧板が受圧板固定リングによって下部ケースに対して固定された状態において、当該受圧板の上方に積算流量表示ユニットを配置して、当該積算流量表示ユニットを下方に押し付けると、その外ケース又は前記受圧板固定リングのいずれか一方に形成された複数の係止爪部と、その他方に形成された被係止部とが係止されて、受圧板固定リングに対して積算流量表示ユニットがワンタッチで取付けられる。その結果、下部ケースに対して積算流量表示ユニットが取付けられる。
【０００９】
このように、当該積算流量表示ユニットを下部ケースに対して単に下方に押し付ける操作のみで、当該下部ケースに対して積算流量表示ユニットを取付けられるので、下部ケースに対する積算流量表示ユニットの取付け操作が容易になると共に、積算流量表示ユニットの外ケース又は受圧板固定リングのいずれかに設けられた複数の係止爪部によって、下部ケースに収容された羽根車の回転軸部の上端部に取付けられた羽根車側の磁石に対する積算流量表示ユニットの側に設けられた磁石の芯出しも自動的に高い精度で行われる。
【００１０】
請求項２の発明は、下部ケースの上方突出環状部の内側にシール部材を介して水密を保持して嵌入される受圧板と、前記上方突出環状部の内周に螺合されて、当該受圧板を当該下部ケースに対して固定するための受圧板固定リングと、前記下部ケースに収容された羽根車の回転を磁石継手を介して伝達して、積算流量を表示する積算流量表示ユニットを備えた乾式水道メータにおいて、前記積算流量表示ユニットの外ケース又は前記受圧板のいずれか一方には、弾性変形可能な複数の係止爪部が形成され、その他方には、当該係止爪部が係止される被係止部が形成されて、前記下部ケースに固定された受圧板に対して前記積算流量表示ユニットを押し付けることにより、前記複数の係止爪部が前記被係止部に係止されて、当該受圧板に対して前記積算流量表示ユニットが一体に取付けられる構成であることを特徴としている。
【００１１】
請求項１の発明は、下部ケースに対して受圧板を固定している受圧板固定リングに対して積算流量表示ユニットの外ケースが取付けられる構成であるのに対して、請求項２の発明は、下部ケースに固定された受圧板に対して前記外ケースが取付けられる構成である点において、請求項１の発明と相違するのみであって、取付けのための係止構造は、同一であるので、請求項２の発明の作用効果は、実質的に請求項１の発明と同一である。
【００１２】
請求項３の発明は、下部ケースの上方突出環状部の内側にシール部材を介して水密を保持して嵌入される受圧板と、前記上方突出環状部の内周に螺合されて、当該受圧板を当該下部ケースに対して固定するための受圧板固定リングと、前記下部ケースに収容された羽根車の回転を磁石継手を介して伝達して、積算流量を表示する積算流量表示ユニットと、カバー本体に当該積算流量表示ユニットの表示部を覆う蓋体が開閉可能に取付けられて、当該積算流量表示ユニットの全体を覆う変則短筒状の全体カバーとを備えた乾式水道メータにおいて、前記積算流量表示ユニットの外ケースの外面、及び前記全体カバーのカバー本体の内側の一方には、係止部が半径方向に突設されると共に、その他方には、前記係止部に係止される被係止部が形成され、前記積算流量表示ユニットの外ケースの外側に前記全体カバーを覆い被せた状態で当該全体カバーを押し付けることにより、前記係止部及び前記被係止部の少なくとも一方が弾性変形されて、互いに係止されることにより、前記外ケースに対して前記全体カバーが取付けられる構成であることを特徴としている。
【００１３】
請求項３の発明によれば、下部ケースに対して積算流量表示ユニットが取付けられている状態において、当該積算流量表示ユニットの全体を全体カバーで覆うべく、当該積算流量表示ユニットに対して全体カバーを押し付けると、前記積算流量表示ユニットの外ケースの外面、及び前記全体カバーのカバー本体の内側の一方に半径方向に突設された係止部と、その他方に設けられた被係止部との係止によって、積算流量表示ユニットの外ケースの全体を覆う全体カバーは、当該外ケースに取外し不能な状態で取付けられる。
【００１４】
このように、積算流量表示ユニットの外ケースに対して全体カバーを押し付けるのみで、当該外ケースに対して全体カバーを取付けることができて、当該全体カバーの取付けが簡単であると共に、外ケースに対して一旦全体カバーが取付けられると、当該全体カバーを取り外すことはできないので、積算流量表示ユニットの表示部の表示を故意に変更させる不正を防止できる。
【００１５】
請求項４の発明は、請求項３の発明において、前記外ケースの外側に設けられた被係止部の外周面は、上面側よりも下面側の直径が大きくなるようなテーパー面に形成されていると共に、前記カバー本体の内側の係止部の内端面は、前記被係止部の外周面のテーパー面に対応するテーパー面に形成されていることを特徴としている。
【００１６】
請求項４の発明によれば、外ケースに設けられた被係止部の外周面がテーパー面に形成されていると共に、当該被係止部と係止するカバー本体の内側の係止部の内端面も対応したテーパー面に形成されているため、積算流量表示ユニットの外ケースに対して全体カバーを押し込んで、外ケースの被係止部に対してカバー本体の係止部が、下部ケースに収容された羽根車の軸方向に移動する際の当該移動がスムーズとなって、外ケースの被係止部とカバー本体の係止部との係止が、当該被係止部又は係止部を損傷又は損壊させることなく、スムーズに行われる。
【００１７】
請求項５の発明は、請求項３又は４の発明において、前記積算流量表示ユニットの外ケースの被係止部、及び前記全体カバーのカバー本体の内周面の一方には、前記積算流量表示ユニットに対する前記全体カバーの周方向の位置決めを行うための位置決め凹部が設けられると共に、その他方には、前記位置決め凹部に嵌合される位置決め凸部が設けられていることを特徴としている。
【００１８】
下部ケースと一体となった積算流量表示ユニットを覆う全体カバーは、その蓋体のヒンジ部との関係において、当該積算流量表示ユニットに対して周方向の位置を定める必要がある。請求項５の発明では、前記積算流量表示ユニットの外ケースの被係止部、及び前記全体カバーのカバー本体の内周面の一方には、前記積算流量表示ユニットに対する前記全体カバーの周方向の位置決めを行うための位置決め凹部が設けられると共に、その他方には、前記位置決め凹部に嵌合される位置決め凸部が設けられることにより、前記周方向の位置を簡単、かつ確実に定めることができる。
【発明の効果】
【００１９】
本発明によれば、乾式水道メータにおいて、前記積算流量表示ユニットの外ケース又は前記受圧板固定リングのいずれか一方には、弾性変形可能な複数の係止爪部が形成され、その他方には、当該係止爪部が係止される被係止部が形成されて、当該係止爪部と被係止部との係止構造によって、下部ケースに対する積算流量表示ユニットの取付構造が簡単になると共に、前記積算流量表示ユニットの外ケースの外面、及び前記全体カバーのカバー本体の内側の一方には、係止部が半径方向に突設されると共に、その他方には、前記係止部に係止される被係止部が形成されて、当該係止部と被係止部との係止構造によって、当該積算流量表示ユニットに対する全体カバーの取付構造が簡単となる。
【図面の簡単な説明】
【００２０】
【図１】本発明の実施例１の乾式水道メータＡ1 の分解斜視図である。
【図２】下部ケースＢに受圧板Ｐ1 を固定している受圧板固定リングＲ1 に対して積算流量表示ユニットＵを取付ける状態の斜視図である。
【図３】下部ケースＢの上方に固定配置された積算流量表示ユニットＵに対して全体カバーＣを取付ける状態の斜視図である。
【図４】下部ケースＢの上方に固定配置された積算流量表示ユニットＵに対して全体カバーＣが取付けられた状態の斜視図である。
【図５】同じく断面図である。
【図６】図５のＸ−Ｘ線断面図である。
【図７】図５のＹ−Ｙ線断面図である。
【図８】本発明の実施例２の乾式水道メータＡ2 の受圧板Ｐ1 よりも上方の部分の縦断面図である。
【図９】本発明の実施例３の乾式水道メータＡ3 の受圧板Ｐ3 よりも上方の部分の縦断面図である。
【図１０】本発明の実施例４の乾式水道メータＡ4 の受圧板Ｐ4 よりも上方の部分の縦断面図である。
【発明を実施するための形態】
【００２１】
以下、複数の実施例を挙げて、本発明を更に詳細に説明する。
【実施例１】
【００２２】
本発明の実施例１の乾式水道メータＡ1 が図１ないし図７に示されている。乾式水道メータＡ1 は、当該下部ケースＢの計量室（図示せず）と、当該下部ケースＢの上方に配置される積算流量表示ユニットＵの表示部とが、当該下部ケースＢの上方突出環状部８の内側に、シール部材であるＯリング１８を介して嵌入される受圧板Ｐ1 によって分離された構成である。そして、本発明の特徴は、下部ケースＢの側に存在するのではなくて、前記受圧板Ｐ1 に対する積算流量表示ユニットＵの外ケースＫ1 の固定構造、及び当該外ケースＫ1 に対する全体カバーＣの固定構造に存在するので、図５において、下部ケースＢの側は非断面表示として、水道メータとして必要な一般説明を文言のみを用いて行う。
【００２３】
下部ケースＢは、図１，図２及び図５に示されるように、直径に対する高さの比がほぼ（１／２）の中空短円柱状のインナーケース収容部（図示せず）を構成する有底短円筒状のケース本体部１と、当該ケース本体部１に平面視で直線状となって一体に設けられた入口管２及び出口管３とを備えている。インナーケース収容部には、上下に二分割されたインナーケース４が収容され、当該インナーケース４は、上下の各インナーケース分割体（図１には、上インナーケース分割体４ａが示されている）が組み付けられることにより、内部の計量室に羽根車５が収容されている。インナーケース４の周面には、水道水の流入口及び流出口がそれぞれ形成され、その上面には、羽根車５の回転軸部６（図１参照）を外部に突出可能な回転軸部挿通開口７（図５参照）が形成されている。インナーケース４の流入口から内部の計量室に流入した水道水は、羽根車５を回転させた後に、流出口から外部に流出される。
【００２４】
図５において、ケース本体部１の上部には、当該ケース本体部１よりも大径であって、全体形状が環状の上方突出環状部８が一体に形成され、前記インナーケース４を構成する上インナーケース分割体４ａの上端部は、当該上方突出環状部８の下端部に達している。環状をした上方突出環状部８の内周面には、二段の各段差部１１，１２が形成され、上方突出環状部８の内周面における二段の各段差部１１，１２の上方には、雌螺子部１３が形成されている。インナーケース４の計量室に収容された羽根車５の回転軸部６の上端部は、当該インナーケース４の上面に形成された回転軸部挿通開口７から上方に突出している。
【００２５】
受圧板Ｐ1 は、羽根車５が収容された下部ケースＢの計量室と、当該下部ケースＢの上方に配置される積算流量表示ユニットＵとを隔離させると共に、計量室内の水道水の高い圧力を受け止める作用を果し、全体が樹脂で形成されて、中央部の上方突出部１４の下端部と外周の環状壁部１５の上端部とが厚板状の連結板部１６で一体に連結された構成であって、前記環状壁部１５の下端外周部には、固定鍔部１７が外方に向けて一体に形成されている。受圧板Ｐ1 の上方突出部１４の内側に形成された凹部１４ａには、回転軸部６の上端部が収容されている。
【００２６】
下部ケースＢの上方突出環状部８の下方の段差部１１にシール部材であるＯリング１８が配置され、前記上方突出環状部８に全体が収容された受圧板Ｐ1 の固定鍔部１７が上方の段差部１２に配置されて、前記上方突出環状部８の内周面の雌螺子部１３に螺合される受圧板固定リングＲ1 の螺入によって、受圧板Ｐ1 の固定鍔部１７が押圧されて、前記Ｏリング１８が圧縮変形されることにより、当該受圧板Ｐ1 を介してケース本体部１の内外が水密を保持して互いに隔離される（図２参照）。
【００２７】
受圧板固定リングＲ1 は、同じく樹脂で形成されて、図１及び図５に示されるように、リング本体２１の外周面に雄螺子２２が形成され、当該リング本体２１の上端面に、弾性変形可能な複数の係止爪部２３が周方向に沿って等間隔をおいて上方に突設された構成である。係止爪部２３は、上端部の内側に係止爪２３ａが一体に設けられている。
【００２８】
積算流量表示ユニットＵは、図１ないし図５に示されるように、外ケースＫ1 の内部に積算流量表示部３１が収容された構成である。外ケースＫ1 の周壁部３２の下端部には、受圧板固定リングＲ1 の係止爪部２３と係止される鍔状の第１被係止部３３が外方に突設され、当該周壁部３２における前記第１被係止部３３の上方の部分に、後述の全体カバーＣのカバー本体４１の内側に突設された複数の係止部４３に対して係止される鍔リング状の第２被係止部３４が外方に突設された構成である。第２被係止部３４は、僅かに弾性変形可能なように第１被係止部３３に比較して薄肉に形成され、周方向の特定位置には、積算流量表示ユニットＵに対する全体カバーＣの周方向の位置決めを可能にすべく、全体カバーＣのカバー本体４１の内側に形成された位置決め凸部４４が嵌合される位置決め凹部３５が形成されている。
【００２９】
そして、図２に示されるように、下部ケースＢの上方突出環状部８に収容された受圧板Ｐ1 が受圧板固定リングＲ1 を介して当該上方突出環状部８に固定された状態で、当該受圧板固定リングＲ1 に対して積算流量表示ユニットＵを上方から押し付けると、当該受圧板固定リングＲ1 に設けられた各係止爪部２３の係止爪２３ａが外ケースＫ1 の第１被係止部３３により僅かに外方に弾性変形され、当該第１被係止部３３の通過後に各係止爪部２３が原形状に復元して、受圧板固定リングＲ1 に対して積算流量表示ユニットＵの外ケースＫ1 が固定される。この際に、外ケースＫ1 に設けられた位置決め凹部３５の位置を確認する等して、下部ケースＢのケース本体部１に対する積算流量表示部３１の周方向の配置位置を確認しておく。
【００３０】
このように、当該積算流量表示ユニットＵを下部ケースＢに対して単に下方に押し付ける操作のみで、当該下部ケースＢに対して積算流量表示ユニットＵを取付けられるので、下部ケースＢに対する積算流量表示ユニットＵの取付け操作が容易になると共に、受圧板固定リングＲ1 に設けられた複数の係止爪部２３によって、下部ケースＢに収容された羽根車５の回転軸部６の上端部に取付けられた羽根車側の磁石Ｍ1 に対する積算流量表示ユニットＵの側に設けられた磁石Ｍ2 の芯出しも自動的に高い精度で行われる。
【００３１】
次に、図５に示されるように、積算流量表示ユニットＵの外ケースＫ1 の周壁部３２の外周上端部に形成された環状溝部にＯリング３０を嵌め込んだ後に、外ケースＫ1 の開口に僅かにわん曲された円盤状の透明ガラス板Ｇを配置して、押え鍔５１を備えたガラス押えリング５２を前記外ケースＫ1 の外側に螺合させることにより、前記押え鍔５１により前記透明ガラス板Ｇの周縁の薄肉の被押え部６１を押さえ付けると、積算流量表示ユニットＵの外ケースＫ1 の開口が透明ガラス板Ｇで覆われる。
【００３２】
全体カバーＣは、変則短筒状のカバー本体４１の開口に蓋体４２がヒンジ部４５を介して回動可能に取付けられて、当該蓋体４２により積算流量表示ユニットＵの積算流量表示部３１を覆う構成である。積算流量表示ユニットＵの外ケースＫ1 の第２被係止部３４は、カバー本体４１の内側に設けられた複数の係止部４３を係止させて、当該積算流量表示ユニットＵに対して全体カバーＣを固定する部材であって、当該第２被係止部３４の外周面３４ａは、上面側よりも下面側の直径が大きくなるようなテーパー面に形成され、前記係止部４３の内端面４３ａは、当該第２被係止部３４の外周面３４ａのテーパー面に対応するテーパー面に形成されている。
【００３３】
そして、外ケースＫ1 の位置決め凹部３５に対して全体カバーＣの位置決め凸部４４を位置合せした状態で、外ケースＫ1 に対して全体カバーＣを押し付けると、外ケースＫ1 の第２被係止部３４が僅かに弾性変形されて、全体カバーＣの係止部４３が当該第２被係止部３４の部分を通過すると、外ケースＫ1 の第２被係止部３４に対して全体カバーＣの係止部４３が係止され、積算流量表示ユニットＵの全体に対して全体カバーＣが覆われる。ここで、第２被係止部３４の外周面３４ａ及び全体カバーＣの係止部４３の内端面４３ａが対応するテーパー面に形成されていることにより、全体カバーＣが、ケース本体部１に収容された羽根車５の軸方向に移動する際の当該移動がスムーズとなって、外ケースＫ1 の第２被係止部３４とカバー本体４１の係止部４３との係止が、当該第２被係止部３４又は係止部４３を損傷又は損壊させることなく、スムーズに行われる。また、外ケースＫ1 の第２被係止部３４とカバー本体４１の係止部４３とが一旦係止された後は、簡単には全体カバーＣを取り外すことのできない構造であるため、積算流量表示ユニットの表示部の表示を故意に変更させる不正を防止できる。また、全体カバーＣのカバー本体４１の下端部の円筒部は、上方突出環状部８の外側の環状凸部８ａに当接して、当該上方突出環状部８の外側には、カバー本体４１の下端部の円筒部が存在しているのみであるので、当該部分の構造が簡素となって、全体がスッキリした設計となる。
【００３４】
なお、受圧板Ｐ1 の上方突出部１４の内部に入り込んだ羽根車５の回転軸部６の上端部に埋設された磁石Ｍ1 と、積算流量表示ユニットＵの積算流量表示部３１を構成する入力軸７１の下端に取付けられた磁石Ｍ2 とは、受圧板Ｐ1 の薄肉部を介して対峙配置で近接していて、磁石継手を構成しており、羽根車５の回転軸部６の回転がそのまま積算流量表示部３１の入力軸７１に伝達される構成となっている。
【００３５】
上記した実施例１において、外ケースＫ1 の周壁部３２の外側に複数の係止部を設けると共に、全体カバーＣのカバー本体４１の内周面に、前記複数の係止部に対して係止される環状の被係止部を設けることも可能である。また、積算流量表示ユニットＵに対する全体カバーＣの周方向に沿った位置決め構造に関しても、積算流量表示ユニットＵの外ケースＫ1 に位置決め凸部を設け、全体カバーＣのカバー本体４１に、当該位置決め凸部に嵌合される位置決め凹部を設けることも可能である。
【実施例２】
【００３６】
図８は、実施例２の乾式水道メータＡ2 の受圧板Ｐ1 よりも上方の部分の縦断面図であって、実施例１の乾式水道メータＡ1 に対して同一部分には、同一符号を付し、重複説明を避けて異なる部分についてのみ説明する。乾式水道メータＡ2 は、乾式水道メータＡ1 に対して、受圧板固定リングＲ2 に対する積算流量表示ユニットＵの外ケースＫ2 の固定構造が異なるのみである。即ち、外ケースＫ2 の周壁部３２の外周下端部に鍔部３３’が形成され、当該鍔部３３’の下面であって、しかも外周端には、弾性変形可能な複数の係止爪部３６が下方に向けて形成されている。一方、リング状をした受圧板固定リングＲ2 のほぼ上半部であって、しかも内周側の部分は、環状に欠落されて係止爪部挿入凹部２４となっていて、当該係止爪部挿入凹部２４の内周壁面２４ａには、前記外ケースＫ2 の係止爪部３６が係止される被係止部２５が段差凹状となって形成されている。
【００３７】
よって、受圧板Ｐ1 が受圧板固定リングＲ2 によって下部ケースＢの上方突出環状部８に固定された状態で、受圧板Ｐ1 に対して積算流量表示ユニットＵを押し付けると、その外ケースＫ2 の係止爪部３６が、受圧板固定リングＲ2 の係止爪部挿入凹部２４に挿入されて、先端の係止爪が、受圧板固定リングＲ2 の被係止部２５に係止されて、受圧板固定リングＲ2 に対して積算流量表示ユニットＵが取付けられる。
【実施例３】
【００３８】
上記した実施例１，２には、受圧板固定リングＲ1 ，Ｒ2 に対して積算流量表示ユニットＵの外ケースＫ1 ，Ｋ2 が取付けられる構成であるが、実施例３，４には、受圧板Ｐ3 ，Ｐ4 に対して積算流量表示ユニットＵの外ケースＫ3 ，Ｋ4 が取付けられる構成である点において、実施例３，４は、実施例１，２に対して相違する。
【００３９】
図９は、実施例３の乾式水道メータＡ3 の受圧板Ｐ3 よりも上方の部分の縦断面図である。実施例３の乾式水道メータＡ3 においては、受圧板Ｐ3 の環状壁部１５の上端面の外周部に、弾性変形可能な複数の係止爪部１９が上方に向けて設けられ、積算流量表示ユニットＵの外ケースＫ3 の周壁部３２の下端部の外周側には、段差凹状に形成された環状の被係止部３７が形成され、受圧板Ｐ3 に対して積算流量表示ユニットＵを押し付けると、各係止爪部１９が僅かに外方に弾性変形された後に、原形状に復元して、受圧板Ｐ3 の各係止爪部１９の係止爪１９ａと、外ケースＫ3 の環状の被係止部３７とが係止されて、受圧板Ｐ3 に対して積算流量表示ユニットＵの外ケースＫ3 が取付けられる。
【実施例４】
【００４０】
図１０は、実施例４の乾式水道メータＡ4 の受圧板Ｐ4 よりも上方の部分の縦断面図である。積算流量表示ユニットＵの外ケースＫ4 の底板部３８の底面の外周部には、弾性変形可能な複数の係止爪部３９が下方に向けて設けられ、受圧板Ｐ4 の環状壁部１５の上端部の内周側には、前記各係止爪部３９が係止可能な凹環状をした被係止部１０が形成され、外ケースＫ4 の各係止爪部３９と、受圧板Ｐ4 の被係止部１０との係止によって、受圧板Ｐ4 に対して積算流量表示ユニットＵの外ケースＫ4 が取付けられる。
【符号の説明】
【００４１】
Ａ1 〜Ａ4 ：乾式水道メータ
Ｂ：下部ケース
Ｃ：全体カバー
Ｋ1,Ｋ2,Ｋ3,Ｋ4 ：積算流量表示ユニットの外ケース
Ｍ1,Ｍ2 ：磁石（磁石継手）
Ｐ1,Ｐ3,Ｐ4 ：受圧板
Ｒ1,Ｒ2,Ｒ4 ：受圧板固定リング
Ｕ：積算流量表示ユニット
８：上方突出環状部
１０，２５，３３，３７：被係止部
１９，２３，３６，３９：係止爪部
３４：外ケースに設けられたカバー本体の係止部と係止する被係止部
３４ａ：テーパー外周面
３５：位置決め凹部
４１：カバー本体
４３：カバー本体に設けられた係止部
４３ａ：テーパー内端面
４４：位置決め凸部
【図１】
2014055828.tif 000003
【図２】
2014055828.tif 000004
【図３】
2014055828.tif 000005
【図４】
2014055828.tif 000006
【図５】
2014055828.tif 000007
【図６】
2014055828.tif 000008
【図７】
2014055828.tif 000009
【図８】
2014055828.tif 000010
【図９】
2014055828.tif 000011
【図１０】
2014055828.tif 000012